(57)【要約】【課題】  引き戸同士、及び、枠材との当接に際して、良好なシール性を確保し得る引き戸端縁クッション材を提供する。【解決手段】  引き戸端縁クッション材１の側端部１ａには、引き戸２と当接、密着する他の引き戸と嵌合可能な召し合わせ部４を有し、且つ、他の側端部１ｂには、枠材５と当接、密着し得る枠材当接部位６を有していて、側端部１ａと側端部１ｂのいずれを外側に装着するかを選択可能に形成しているので、引き戸端縁クッション材１が、他の引き戸と当接、密着する場合には、召し合わせ部４を引き戸２の移動方向側端縁３における外側に装着し、他方、その引き戸端縁クッション材１が、枠材５と当接、密着する場合には、枠材５と当接、密着し得る枠材当接部位６を引き戸２の移動方向側端縁３における外側に装着することにより、引き戸同士、及び、枠材５との当接に際して、良好なシール性を確保し得る。【選択図】図１
2005240275.tif 000002
【特許請求の範囲】
【請求項１】
引き戸の移動方向側端縁に装着し得る引き戸端縁クッション材であって、前記引き戸端縁クッション材の一の側端部には、前記引き戸と当接、密着する他の引き戸の移動方向側端縁の召し合わせ部と嵌合可能な召し合わせ部を有する一方、前記引き戸端縁クッション材の他の一の側端部には、枠材と当接、密着し得る枠材当接部位を有し、前記引き戸端縁クッション材の一の側端部と前記他の一の側端部のいずれを外側に装着するかを選択可能に形成したことを特徴とする引き戸端縁クッション材。
【請求項２】
前記枠材と当接、密着し得る枠材当接部位が、前記枠材と当接し得る凸面を有することを特徴とする請求項１記載の引き戸端縁クッション材。
【請求項３】
前記引き戸端縁クッション材が、弾力性を有する素材を使用してなることを特徴とする請求項１または請求項２記載の引き戸端縁クッション材。
【発明の詳細な説明】
【技術分野】
【０００１】
本発明は、引き戸同士、及び、枠材との当接に際して、良好なシール性を確保し得る引き戸端縁クッション材に関するものである。
【背景技術】
【０００２】
従来より、引き戸同士の当接による戸当たり構造においては、例えば、当該引き戸により隔離される隣室との遮音性の確保、隣室からの明かり漏れの防止の観点等から、かかる戸当たり構造を形成する引き戸端縁相互間のシール性の良さが求められており、これについては、例えば、引き戸端縁クッション材を使用する戸当たり構造（例えば、特開平７？３１７４１７号公報参照）等、種々の提案がなされてきた。
【０００３】
その一方で、かかる引き戸端縁は、枠材とも当接し得るものであり、ここでも良好なシール性が要求される。しかし、かかる枠材の引き戸端縁との当接面は、通常、平坦面であるため、上記の引き戸端縁クッション材を有する従来の引き戸端縁は、かかる枠材と当接する際には、必ずしも良好なシール性を保障し得るものではなかった。
【特許文献１】特開平７？３１７４１７号公報
【発明の開示】
【発明が解決しようとする課題】
【０００４】
本発明は、上記背景技術に鑑みて発明されたものであり、その課題は、引き戸同士、及び、枠材との当接に際して、良好なシール性を確保し得る引き戸端縁クッション材を提供することにある。
【課題を解決するための手段】
【０００５】
上記課題を解決するために、請求項１に係る発明の引き戸端縁クッション材にあっては、引き戸の移動方向側端縁に装着し得る引き戸端縁クッション材であって、前記引き戸端縁クッション材の一の側端部には、前記引き戸と当接、密着する他の引き戸の移動方向側端縁の召し合わせ部と嵌合可能な召し合わせ部を有する一方、前記引き戸端縁クッション材の他の一の側端部には、枠材と当接、密着し得る枠材当接部位を有し、前記引き戸端縁クッション材の一の側端部と前記他の一の側端部のいずれを外側に装着するかを選択可能に形成したことを特徴とするものである。
【０００６】
請求項２に係る発明の引き戸端縁クッション材にあっては、請求項１記載の引き戸端縁クッション材において、前記枠材と当接、密着し得る枠材当接部位が、前記枠材と当接し得る凸面を有することを特徴とするものである。
【０００７】
請求項３に係る発明の引き戸端縁クッション材にあっては、請求項１または請求項２記載の引き戸端縁クッション材において、前記引き戸端縁クッション材が、弾力性を有する素材を使用してなることを特徴とするものである。
【発明の効果】
【０００８】
本発明の引き戸端縁クッション材は、引き戸の移動方向側端縁に装着し得る引き戸端縁クッション材であって、前記引き戸端縁クッション材の一の側端部には、前記引き戸と当接、密着する他の引き戸の移動方向側端縁の召し合わせ部と嵌合可能な召し合わせ部を有する一方、前記引き戸端縁クッション材の他の一の側端部には、枠材と当接、密着し得る枠材当接部位を有し、前記引き戸端縁クッション材の一の側端部と前記他の一の側端部のいずれを外側に装着するかを選択可能に形成しているので、その引き戸端縁クッション材が、他の引き戸と当接、密着する場合には、前記召し合わせ部を引き戸の移動方向側端縁における外側に装着し、他方、その引き戸端縁クッション材が、前記枠材と当接、密着する場合には、この枠材と当接、密着し得る枠材当接部位を引き戸の移動方向側端縁における外側に装着することにより、引き戸同士、及び、枠材との当接に際して、効果的に良好なシール性を確保し得ることとなる。
【発明を実施するための最良の形態】
【０００９】
以下、本発明の実施形態を図面に基づき説明する。なお、本発明の引き戸端縁クッション材は、下記の実施形態にのみ限定されるものではなく、本発明の要旨を逸脱しない範囲内において種々変更を加え得ることは勿論である。ここで、図１は、本発明の一実施形態である引き戸端縁クッション材１の装着状態の概略を示すもので、（ａ）は、召し合わせ部４を有する側端部１ａを引き戸２の移動方向側端縁３において外側に装着した様子の概略を示す断面図、（ｂ）は、枠材５と当接、密着し得る枠材当接部位６を有する側端部１ｂを引き戸２の移動方向側端縁３において外側に装着した様子の概略を示す断面図である。図２は、本発明の一実施形態である引き戸端縁クッション材１を備えた引き戸２と他の引き戸２ａとが、当接、密着する様子の概略を示す断面図である。一方、図３は、本発明の一実施形態である引き戸端縁クッション材１を備えた引き戸２と枠材５とが、当接、密着する様子の概略を示す断面図である。
【００１０】
即ち、図１に示すように、本実施形態の引き戸端縁クッション材１は、引き戸２の移動方向側端縁３に装着し得る引き戸端縁クッション材であり、かかる引き戸端縁クッション材１の一の側端部１ａには、引き戸２と当接、密着する他の引き戸２ａの召し合わせ部４ａ（後述の図２参照）と嵌合可能な召し合わせ部４を有する一方、他の一の側端部１ｂには、枠材５（後述の図３参照）と当接、密着し得る枠材当接部位６を有し、引き戸端縁クッション材１の一の側端部１ａと他の一の側端部１ｂのいずれを（引き戸２の移動方向側端縁３における）外側に装着するかを選択可能に形成したものである（図１（ａ）、（ｂ）参照）。
【００１１】
図２は、本発明の一実施形態である引き戸端縁クッション材１を備えた引き戸２と他の引き戸２ａとが、当接、密着する様子の概略を示す断面図である。すなわち、ここでは、引き戸２の引き戸端縁クッション材１における召し合わせ部４を有する側端部１ａを引き戸２の移動方向側端縁３において外側に装着した結果、召し合わせ部４が、他の引き戸２ａの対応する召し合わせ部４ａとその凹凸構造７で嵌合できることとなる。なお、ここでは、召し合わせ部４、４ａともに、共通の凹凸構造７のみを有し、同一形状の召し合わせ部４、４ａ同士で嵌合状態を形成することができ、部品点数の削減に寄与し得ることとなるが、本発明の召し合わせ部４の構造は、特に制限はなく、これのみに限定されないことはいうまでもない。このように、本実施形態では、召し合わせ部４が、他の引き戸２ａの対応する召し合わせ部４ａとその凹凸構造７で嵌合できるので、引き戸同士（ここでは、引き戸２と他の引き戸２ａ）の当接に際して、効果的に良好なシール性を確保し得ることとなり、例えば、一層効果的に、引き戸２により隔離される隣室との遮音性の確保、隣室からの明かり漏れの防止を達成し得ることができる。
【００１２】
一方、図３は、本発明の一実施形態である引き戸端縁クッション材１を備えた引き戸２と枠材５とが、当接、密着する様子の概略を示す断面図である。すなわち、引き戸２の引き戸端縁クッション材１において、枠材５と当接、密着し得る枠材当接部位６を有する側端部１ｂを引き戸２の移動方向側端縁３において外側に装着するものであるため、枠材５との当接に際して、効果的に良好なシール性を確保し得ることとなるが、さらに、ここでは、引き戸端縁クッション材１の側端部１ｂにおける枠材５と当接、密着し得る枠材当接部位６が、枠材５と当接し得る凸面８を有するものである。この結果、さらに、効率的に前記枠材と引き戸とが当接した箇所におけるシール性が確保でき、例えば、一層効果的に、引き戸２により隔離される隣室との遮音性の確保、隣室からの明かり漏れの防止を達成し得ることができる。
【００１３】
なお、本発明に係る引き戸端縁クッション材１にあっては、弾力性を有する素材を使用して、好適に形成することができる。具体的には、例えば、各種ゴム類等を使用したもの等が例示可能であるが、特にこれらのみに制限されるものではなく、上記課題解決に寄与し得る限りにおいて限定はない。この結果、前記枠材と引き戸とが当接した箇所、及び、引き戸同士の当接による戸当たり構造におけるシール性が、さらに効率的に確保できることとなる。
【００１４】
このように、本実施形態の引き戸端縁クッション材１は、引き戸２の移動方向側端縁３に装着し得る引き戸端縁クッション材であり、かかる引き戸端縁クッション材１の一の側端部１ａには、引き戸２と当接、密着する他の引き戸２ａの移動方向側端縁３ａの召し合わせ部４ａと嵌合可能な召し合わせ部４を有する一方、引き戸端縁クッション材１の他の一の側端部１ｂには、枠材５と当接、密着し得る枠材当接部位６を有し、引き戸端縁クッション材１の一の側端部１ａと他の一の側端部１ｂのいずれを引き戸２の移動方向側端縁３における外側に装着するかを選択可能に形成したものである。
【００１５】
その結果、引き戸端縁クッション材１が、他の引き戸２ａと当接、密着する場合には、召し合わせ部４を引き戸２の移動方向側端縁３における外側に装着し、他方、その引き戸端縁クッション材１が、枠材５と当接、密着する場合には、この枠材５と当接、密着し得る枠材当接部位６を引き戸の移動方向側端縁３における外側に装着することにより、引き戸同士、及び、枠材５との当接に際して、効果的に良好なシール性を確保し得ることとなる。
【図面の簡単な説明】
【００１６】
【図１】本発明の一実施形態である引き戸端縁クッション材１の装着状態の概略を示すもので、（ａ）は、召し合わせ部４を有する側端部１ａを引き戸２の移動方向側端縁３において外側に装着した様子の概略を示す断面図、（ｂ）は、枠材５と当接、密着し得る枠材当接部位６を有する側端部１ｂを引き戸２の移動方向側端縁３において外側に装着した様子の概略を示す断面図である。
【図２】本発明の一実施形態である引き戸端縁クッション材１を備えた引き戸２と他の引き戸２ａとが、当接、密着する様子の概略を示す断面図である。
【図３】本発明の一実施形態である引き戸端縁クッション材１を備えた引き戸２と枠材５とが、当接、密着する様子の概略を示す断面図である。
【符号の説明】
【００１７】
１    引き戸端縁クッション材
１ａ  側端部（引き戸端縁クッション材１）
１ｂ  側端部（引き戸端縁クッション材１）
２    引き戸
２ａ  引き戸
３    移動方向側端縁（引き戸２）
３ａ  移動方向側端縁（引き戸２ａ）
４    召し合わせ部（側端部１ａ）
４ａ  召し合わせ部（引き戸２ａ）
５    枠材
６    枠材当接部位（側端部１ｂ）
７    凹凸構造（召し合わせ部４）
８    凸面（枠材当接部位６）
【図１】
2005240275.tif 000003
【図２】
2005240275.tif 000004
【図３】
2005240275.tif 000005